(57)【要約】  飲用可能な飲料を調製するための物質を収容しているカプセル。このカプセルは、側壁、及び外向きに延びるフランジを有するアルミニウムカプセル本体と、飲料調製装置の囲み部材と流体封止接触をもたらすための封止部材と、を含む。この飲料調製装置は、半径方向に延びる複数の開放溝を備える自由接触端を有する環状要素を含む。この封止部材は、カプセル本体上の側面に設けられたアルミニウム製の別個の圧潰可能要素を含み、この側面は、外向きに延びるフランジから見ると、蓋とは反対側にある。【特許請求の範囲】
【請求項１】
カプセル内に加圧下で流体を供給することにより物質を抽出及び／又は溶解することによって飲用可能な飲料を調製するように前記物質を収容しているカプセルであって、前記カプセルは、カプセル本体中心軸線及び全高（ＴＨ）を有するアルミニウムカプセル本体を含み、前記アルミニウムカプセル本体は、底部、側壁、及び外向きに延びるフランジを備え、前記カプセルは、前記外向きに延びるフランジに取り付けられたアルミニウム蓋を更に備え、前記蓋は、蓋壁厚を有し、前記カプセルを密封して閉じており、前記カプセルは、前記カプセルの前記外向きに延びるフランジ及び前記カプセルの封止部材の少なくとも一部分とが、飲料調製装置の囲み部材と閉じ部材との間を封止するように、前記カプセルが前記飲料調製装置の前記囲み部材内に位置決めされ、かつ前記囲み部材が前記飲料調製装置の前記閉じ部材、例えば前記飲料調製装置の抽出プレートによって閉じられているときに、前記飲料調製装置の前記囲み部材との流体封止接触をもたらす前記封止部材を更に含み、前記飲料調製装置の前記囲み部材は、環状要素中心軸線及び自由接触端を有する環状要素を含み、前記環状要素の前記自由接触端は、半径方向に延びる複数の開放溝を任意選択的に備える、カプセルにおいて、前記封止部材は、前記カプセル本体上の側面に設けられたアルミニウム製の別個の圧潰可能要素を含み、前記側面は、前記外向きに延びるフランジから見ると、前記蓋とは反対側にあることを特徴とする、カプセル。
【請求項２】
前記別個の圧潰可能要素が、約１０％のＡｌの有効密度を有するアルミニウム製である、請求項１に記載のカプセル。
【請求項３】
前記別個の圧潰可能要素が、前記蓋とは反対側の、前記外向きに延びるフランジの前記表面上に設けられたリングであり、前記リングは、３４ｍｍの外径、３０ｍｍの内径、１ｍｍの厚さ、及び約０．０７グラムの質量を有し、前記リングは、前記側壁を囲んでいる、請求項１又は２に記載のカプセル。
【請求項４】
前記外向きに延びるフランジとは反対側の、前記リングの表面において、前記リングがＡｌホイルで被覆されている、請求項３に記載のカプセル。
【請求項５】
前記リングと前記外向きに延びるフランジとの間に、Ａｌホイルが配置されている、請求項３又は４に記載のカプセル。
【請求項６】
前記リングと前記側壁との間の前記リングの表面上に、Ａｌホイルが配置されている、請求項３、４、又は５に記載のカプセル。
【請求項７】
前記側壁とは反対側の、前記リングの表面において、前記リングがＡｌホイルで被覆されている、請求項３、４、５、又は６に記載のカプセル。
【請求項８】
前記リングが、前記カプセルの前記底部に向かって延び、前記リングは、前記リングの前記内径に設けられたスリーブを備える、請求項３〜７のいずれか一項に記載のカプセル。
【請求項９】
前記別個の圧潰可能要素が、ワッシャになるまで圧縮された２つのＡｌホイルを含み、前記ワッシャは、前記蓋とは反対側の、前記外向きに延びるフランジの表面上に配置されている、請求項１に記載のカプセル。
【請求項１０】
前記ワッシャが、内径を有し、前記カプセルの前記底部に向かって延びるスリーブを備え、前記スリーブは、前記内径に設けられている、請求項９に記載のカプセル。
【請求項１１】
前記Ａｌホイルが、０．３μｍの厚さを有する、請求項３〜１０のいずれか一項に記載のカプセル。
【請求項１２】
前記別個の圧潰可能要素が、前記蓋とは反対側の、前記外向きに延びるフランジの前記表面上に設けられたリングであり、前記リングは、３４ｍｍの外径、３０ｍｍの内径を有し、前記リングは、単一のワッシャとなるように一緒にプレスされた３２層の１０μｍのＡｌホイルから型抜きされている、請求項１に記載のカプセル。
【請求項１３】
前記別個の圧潰可能要素が、前記蓋とは反対側の、前記外向きに延びるフランジの前記表面上に設けられたリングであり、前記リングは、３４ｍｍの外径、３０ｍｍの内径を有し、前記リングは、各層が前記蓋と同じ厚さを有する８層のＡｌ層から形成されており、各Ａｌ層は、個別に型抜きされ、前記外向きに延びるフランジ上に互いに積み重ねられている、請求項１に記載のカプセル。
【請求項１４】
前記別個の圧潰可能要素が、前記蓋とは反対側の、前記外向きに延びるフランジの前記表面上に設けられたリングであり、前記リングは、３４ｍｍの外径、３０ｍｍの内径を有し、前記リングは、各層が前記蓋と同じ厚さを有する７層のＡｌ層から形成されており、前記７層のＡｌ層は、積み重ねられ、その後型抜きされ、前記外向きに延びるフランジ上に配置されている、請求項１に記載のカプセル。
【請求項１５】
前記アルミニウムが、等級１０００系Ａｌである、請求項１〜１４のいずれか一項に記載のカプセル。
【請求項１６】
前記封止部材が、前記側壁及び前記外向きに延びるフランジから外れている、請求項１〜１５のいずれか一項に記載のカプセル。
【請求項１７】
前記外向きに延びるフランジが、平坦であり、前記カプセル本体中心軸線に対して横方向に延びている、請求項１〜１６のいずれか一項に記載のカプセル。
【請求項１８】
前記カプセル内に加圧下で供給された流体を使用して前記カプセルから飲用可能な飲料を調製するためのシステムであって、
請求項１〜１７のいずれか一項に記載のカプセルと、
カプセルを受けるための囲み部材を備えた飲料調整装置であって、囲み部材は、カプセル内に加圧下で流体を供給する流体供給手段を含み、飲料調製装置は、飲料調製装置の囲み部材を閉じるための閉じ部材、例えば抽出プレートを更に含み、飲料調製装置の囲み部材は、環状要素中心軸線及び自由接触端を有する環状要素を更に含み、環状要素の自由接触端は、半径方向に延びる複数の開放溝を任意選択的に備える、飲料調整装置と、
カプセルの封止部材であって、カプセルの外向きに延びるフランジ及びカプセルの封止部材の少なくとも一部分とが、飲料調製装置の囲み部材と閉じ部材との間の封止をもたらすように、カプセルが飲料調製装置の囲み部材内に位置決めされ、かつ囲み部材が飲料調製装置の閉じ部材によって閉じられているときに、飲料調製装置の囲み部材との流体封止接触をもたらすように配置されている、カプセルの封止部材と、を備える、システムが提供される。
【発明の詳細な説明】
【技術分野】
【０００１】
本発明は、カプセル内に加圧下で流体を供給することにより物質を抽出及び／又は溶解することによって飲用可能な飲料を調製するように物質を収容しているカプセルに関し、カプセルは、カプセル本体中心軸線及び全高を有するアルミニウムカプセル本体を含み、このアルミニウムカプセル本体は、底部、側壁、及び外向きに延びるフランジを備え、カプセルは、外向きに延びるフランジに取り付けられたアルミニウム蓋を更に備え、蓋は、蓋壁厚を有し、カプセルを密封して閉じており、カプセルは、閉じたカプセルの外向きに延びるフランジ及び閉じたカプセルの封止部材の少なくとも一部分とが、飲料調製装置の囲み部材と閉じ部材との間を封止するように、閉じられたカプセルが飲料調製装置の囲み部材内に位置決めされ、かつ囲み部材が飲料調製装置の閉じ部材、例えば飲料調製装置の抽出プレートによって閉じられているときに、飲料調製装置の囲み部材との流体封止接触をもたらす封止部材を更に含み、飲料調製装置の囲み部材は、環状要素中心軸線及び自由接触端を有する環状要素を含み、この環状要素の自由接触端は、半径方向に延びる複数の開放溝を任意選択的に備える。
【０００２】
そのようなカプセルは、欧州特許第ＥＰ−Ｂ−１  ７００  ５４８号で公知である。公知のシステムにおいて、カプセルは、段差形状、すなわちカプセルの側壁の直径の急な増加を有する封止部材を備え、そしてこの公知のシステムの囲み部材は、封止部材にたわみを与えるように封止部材に作用する封止表面を有し、この封止表面は、この封止部材のたわみが内側及び下側への段状に変形するように傾けられている。公知のシステムにおいて更に、囲み部材は、カプセルホルダと、囲み部材及びカプセルホルダの相対移動のための手動操作機構又は自動機構と、を備える。手動操作機構又は自動機構は、囲み部材がカプセルホルダ上で閉じるときに、カプセルの封止部材に力を加える。この力は、囲み部材とカプセルとの間の流体密封を保証するべきである。手動操作機構又は自動機構は、ベースに相対的に移動するように配置されているため、システムの封止能力は、流体供給手段によって供給される流体の圧力に依存し得る。流体の圧力が増加すると、カプセルの封止部材と囲み部材の自由端との間の力も増大し、それによりカプセルの封止部材と囲み部材の自由端との間の力もまた増大する。このようなシステムは後で説明される。カプセルの封止部材は、囲み部材内において最大流体圧に到達するときに、封止部材は囲み部材とカプセルとの間に流体封止接触をやはりもたらすべきであるように、配置されていなければならない。しかしながら、封止部材はまた、淹出する前又は淹出開始時に、カプセルの外側での囲み部材内の流体の圧力が比較的低いときに、封止部材がまた、囲み部材とカプセルとの間に流体封止接触をもたらすように、配置されていなければならない。淹出開始時に、カプセルと囲み部材との間に流体封止接触が存在しない場合、漏れが生じるだろう。しかしながら、もし漏れが生じると、手動操作機構又は自動機構が囲み部材をカプセルホルダの方へ移動させるときに、囲み部材の自由端による封止部材への力を増加させるための、囲み部材内及びカプセルの外側の圧力が、十分に上昇しないことが現実に生じ得る。十分な初期封止があるときにのみ、囲み部材内の圧力は増加し、それによりカプセルの封止部材上で作用する囲み部材の自由端の力は増加した流体圧でもまた十分な流体封止接触をもたらすように増加する。更に、カプセルの外側でのこの増加した流体圧はまた、カプセル内部に流体圧の増加をもたらし、この圧力は、カプセルが飲料調製装置のカプセルホルダ（抽出プレートとも呼ばれる）のリリーフ部材上で、カプセル内の流体圧の影響下で裂開するように配置されている蓋を備えている場合には、必須である。
【０００３】
上記のことから、封止部材が設計上極めて重要な部材であるということになる。囲み部材の自由端によって比較的小さな力しか封止部材に加えられないときには、比較的低い流体圧で囲み部材とカプセルとの間に流体封止接触をもたらすことができるべきである。しかし、囲み部材の自由端によってカプセルの封止部材により強い力が加えられるとき、カプセルの外側での囲み部材内に遥かに高い流体圧で流体封止接触がもたらされるべきである。特に、囲み部材の自由接触端が半径方向に延びる開放溝（それは空気流入路として働く）を備える場合、使用者がより簡単にカプセルを取り出せるように、いったん囲み部材とカプセルホルダとの間の力が解放され、封止部材はまた、効果的な封止をもたらすために半径方向に延びる開放溝を「閉じる」ことができなければならない。
【０００４】
本発明の目的は、比較的製造が簡単で、使用後にカプセルを処分する場合に環境にやさしく、及び／又は自由接触端が半径方向に延びる開放溝を備える囲み部材の場合であっても、囲み部材の自由端によって比較的小さな力しか封止部材に加えられない場合には、比較的低い流体圧（多くの場合、初期封止とも呼ばれる）、及び囲み部材の自由端によってカプセルの封止部材により強い力が加えられる場合（例えば、淹出中）には遥かに高い流体圧、の両方で十分な封止をもたらす、代替の封止部材を有する代替のカプセルを提供することである。
【０００５】
本発明では、第１の態様では、カプセル内に加圧下で流体を供給することにより物質を抽出及び／又は溶解することによって飲用可能な飲料を調製するように物質を収容しているカプセルであって、カプセルは、カプセル本体中心軸線及び全高を有するアルミニウムカプセル本体を含み、アルミニウムカプセル本体は、底部、側壁、及び外向きに延びるフランジを備え、カプセルは、外向きに延びるフランジに取り付けられたアルミニウム蓋を更に備え、蓋は、蓋壁厚を有し、カプセルを密封して閉じており、カプセルは、カプセルの外向きに延びるフランジ及びカプセルの封止部材の少なくとも一部分とが、飲料調製装置の囲み部材と閉じ部材との間を封止するように、カプセルが飲料調製装置の囲み部材内に位置決めされ、かつ囲み部材が飲料調製装置の閉じ部材、例えば飲料調製装置の抽出プレートによって閉じられているときに、飲料調製装置の囲み部材との流体封止接触をもたらす封止部材を更に含み、飲料調製装置の囲み部材は、環状要素中心軸線及び自由接触端を有する環状要素を含み、環状要素の自由接触端は、半径方向に延びる複数の開放溝を任意選択的に備える、カプセルにおいて、封止部材は、カプセル本体上の側面に設けられたアルミニウム製の別個の圧潰可能要素を含み、この側面は、外向きに延びるフランジから見ると、蓋とは反対側にあることを特徴とする、カプセルが提供される。封止部材は、カプセル本体上の側面に設けられたアルミニウム製の別個の圧潰可能要素を含み、この側面は、外向きに延びるフランジから見ると、蓋とは反対側にあるため、このカプセル、及び別個の圧潰可能要素は、比較的製造が簡単である。更に、別個の圧潰可能要素によって、囲み部材及び閉じ部材、特に半径方向に延びる開放溝を備えた自由接触端を有する囲み部材に十分な封止をもたらすことができる。加えて、別個の圧潰可能要素は、飲料調製装置の内部でのカプセルの位置決めを容易にすることができる。
【０００６】
本出願では、流体封止接触の存在とは、飲料を調製するために囲み部材に供給される流体の総量の０〜６％、好ましくは０〜４％、より好ましくは０〜２．５％が、自由接触端とカプセルとの間の漏れにより漏れ出る場合があることを意味する。
【０００７】
カプセルの一実施形態において、カプセルが、飲用可能な飲料の調製のための物質として抽出可能製品を収容し、この抽出可能製品が、好ましくは５〜２０グラム、好ましくは５〜１０グラム、より好ましくは５〜７グラムの焙煎され挽かれたコーヒーである場合に、本発明は特に有利である。
【０００８】
本発明に従う、特に製造が簡単なカプセルの一実施形態では、カプセルの外向きに延びるフランジの外径は、カプセルの底部の直径よりも大きい。好ましくは、外向きに延びるフランジの外径は約３７．１ｍｍであり、カプセルの底部の直径は約２３．３ｍｍである。
【０００９】
カプセルの一実施形態において、アルミニウムカプセル本体の厚さが、カプセルが飲料調製装置の囲み部材内に位置決めされ、かつ囲み部材が飲料調製装置の閉じ部材によって閉じられているときには、簡単に変形されるように、好ましくはアルミニウムカプセル本体の厚さが２０〜２００マイクロメートル、好ましくは１００マイクロメートルである場合に、本発明は特に有利である。
【００１０】
カプセルの一実施形態では、アルミニウム蓋の蓋壁厚は、１５〜６５マイクロメートル、好ましくは３０〜４５マイクロメートル、最も好ましくは３９マイクロメートルである場合に、本発明は特に有利である。
【００１１】
本発明に従うカプセルの一実施形態では、アルミニウム蓋の壁厚は、アルミニウムカプセル本体の壁厚よりも薄い。
【００１２】
本発明に従うカプセルの更なる実施形態では、アルミニウム蓋は、カプセル内の流体圧の影響下で、飲料調製装置の閉じ部材、例えば飲料調製装置の抽出プレート上で裂開されるように配置されている。
【００１３】
本発明に従う、特に製造が簡単なカプセルの一実施形態では、アルミニウムカプセル本体の側壁は、底部とは反対側に自由端を有し、外向きに延びるフランジは、側壁のこの自由端から、少なくとも実質的にカプセル本体中心軸線に対して横方向に延びる。好ましくは、外向きに延びるフランジは湾曲外縁部を含み、これは半径方向に延びる開放溝を備える自由接触端で十分な封止を得るのに有益である。
【００１４】
外向きに延びるフランジの湾曲外縁部の内縁部の、カプセル本体中心軸線の周りの半径は、好ましくは、少なくとも３２ｍｍであるので、囲み部材の環状端面からのクリアランスが確保される。すると、封止部材が、アルミニウムカプセル本体の側壁の自由端と外向きに延びるフランジの湾曲外縁部の内縁部との間に位置決めされることが、より更に十分な封止を得るために好ましい。
【００１５】
湾曲外縁部が、多種多様な、市販の及び将来の飲料調整装置の動作を妨げないことを保証するために、外向きに延びるフランジの湾曲外縁部は、約１．２ミリメートルの最大直径を有する。
【００１６】
本発明は、アルミニウムカプセル本体の側壁の自由端の内径が、約２９．５ｍｍであるカプセルに特に有益である。アルミニウムカプセル本体の側壁の自由端と外向きに延びるフランジの最外縁部との間の距離は、約３．８ミリメートルであり得る。アルミニウムカプセル本体の好ましい高さは約２８．４ｍｍである。
【００１７】
使用後に使用者が飲料調製装置からより簡単に取り出せる本発明に従うカプセルの一実施形態では、アルミニウムカプセル本体は切頭形であり、好ましくはアルミニウムカプセル本体の側壁は、カプセル本体中心軸線に直角の線に対して約９７．５°の角度を有する。
【００１８】
本発明に従うカプセルの有利な実施形態では、アルミニウムカプセル本体の底部は、約２３．３ｍｍの最大内径を有する。アルミニウムカプセル本体の底部は切頭形であり、好ましくは約４．０ｍｍの底部高さを有し、底部は蓋に対向して約８．３ｍｍの直径を有する概ね平坦な中心部分を更に有することが好ましい。
【００１９】
本発明に従うカプセルの好ましい実施形態では、カプセルは、内側表面を含み、カプセルの少なくとも側壁の内側表面上に、内側コーティングが施されている。特に、カプセルが深絞りによって製造される場合、内側コーティングにより、深絞り成形法が容易になる。カプセルのアルミニウム蓋が、封止ラッカーによって外向きに延びるフランジに取り付けられている場合に、この内側コーティングが封止ラッカーと同一の材料で構成されていると、特に有利である。
【００２０】
本発明に従うカプセルの更なる実施形態では、カプセルは、外側表面を含み、カプセルの外側表面上に、色付きラッカーが施される。深絞りを容易にするために、外側表面上に色が施されるのが好ましい。
【００２１】
製造が簡単な本発明に従うカプセルの実施形態では、外向きに延びるフランジは、平坦であり、カプセル本体中心軸線に対して横方向に延びている。
【００２２】
本発明に従うカプセルの更なる実施形態では、別個の圧潰可能要素は、約１０％のＡｌの有効密度を有するアルミニウム製である。そのような密度を有するアルミニウムは（本明細書ではまたソフトアルミニウムとも称する）、特に囲み部材が半径方向に延びる開放溝を備える場合に、適切な封止をもたらすことができる。
【００２３】
本発明に従うカプセルのまた更なる実施形態では、別個の圧潰可能要素は、蓋とは反対側の、外向きに延びるフランジの表面上に設けられたリングであり、このリングは、３４ｍｍの外径、３０ｍｍの内径、１ｍｍの厚さ、及び約０．０７グラムの質量を有し、このリングは、側壁を囲んでいる。そして、外向きに延びるフランジとは反対側のリングの表面上で、リングがＡｌホイルで被覆されている場合、及び／又はリングと外向きに延びるフランジとの間にＡｌホイルが配置されている場合、及び／又はリングと側壁との間のリングの表面上にＡｌホイルが配置されている場合、及び／又は側壁とは反対側のリングの表面上でリングがＡｌホイルで被覆されている場合に、有利であり得る。
【００２４】
本発明に従うカプセルの別の有利な実施形態では、リングは、カプセルの底部に向かって延びるスリーブを備え、このリングは、その内径に設けられている。スリーブによって、特に囲み部材が半径方向に延びる開放溝を備える場合の、カプセルと囲み部材との間の封止が向上し得る。
【００２５】
本発明に従うカプセルの代替的実施形態では、別個の圧潰可能要素は、蓋とは反対側の、外向きに延びるフランジの表面上に層状にランダムに付与された複数のＡｌホイルを含む。本発明に従うカプセルの別の実施形態では、Ａｌホイルは、外向きに延びるフランジの表面上に付与される前に圧縮されている。追加的又は代替的に、別個の圧潰可能要素は、カプセルの側壁上に層状にランダムに付与された複数のＡｌホイルを含む。後者の場合、複数のＡｌホイルが、カプセル本体の全高の少なくとも４０％を覆い、好ましくは複数のＡｌホイルが、カプセル本体の全高の５０％を覆っていることが好ましい。
【００２６】
本発明に従うカプセルの更なる代替的実施形態では、別個の圧潰可能要素は、ワッシャになるまで圧縮された２つのＡｌホイルを含み、このワッシャは、蓋とは反対側の、外向きに延びるフランジの表面上に配置されている。本発明に従うカプセルの更なる実施形態では、ワッシャは、内径を有し、カプセルの底部に向かって延びるスリーブを備え、このスリーブは、その内径に設けられている。スリーブによって、特に囲み部材が半径方向に延びる開放溝を備える場合の、カプセルと囲み部材との間の封止が、向上し得る。上述の実施形態は、特にＡｌホイルが０．３μｍの厚さを有する場合に良好な封止をもたらす。
【００２７】
本発明に従うカプセルの更なる代替的実施形態では、別個の圧潰可能要素は、側壁の周りにきつく巻きつけられた１０μｍの厚さを有する折りたたまれたＡｌホイルを含み、この折りたたまれたＡｌホイルは、外向きに延びるフランジから、カプセル本体の全高の少なくとも４０％にわたり、好ましくはカプセル本体の全高の約５０％にわたり延びている。
【００２８】
本発明に従うカプセルの更に別の代替的実施形態では、別個の圧潰可能要素は、側壁の周りにゆるく巻きつけられた１０μｍの厚さを有する９回折りたたまれたＡｌホイルを含み、この折りたたまれたＡｌホイルは、外向きに延びるフランジから、カプセル本体の全高の少なくとも４０％にわたり、好ましくはカプセル本体の全高の約５０％にわたり延びている。
【００２９】
本発明に従うカプセルのまた更なる代替的実施形態では、別個の圧潰可能要素は、側壁の周りに巻きつけられた１０μｍの厚さを有する１２回折りたたまれたＡｌホイルを含み、この折りたたまれたＡｌホイルは、外向きに延びるフランジから、カプセル本体の全高の約２０〜４０％にわたり、好ましくはカプセル本体の全高の約２５％にわたり延びている。
【００３０】
本発明に従うカプセルの更に別の代替的実施形態では、別個の圧潰可能要素は、側壁の周りに配置された１０μｍの厚さを有する垂直方向に波形の２重のＡｌホイルを含み、この折りたたまれたＡｌホイルは、外向きに延びるフランジからカプセル本体の全高の約２０〜４０％にわたり、好ましくはカプセル本体の全高の約２５％にわたり延びている。垂直方向に波形の２重のＡｌホイルは、外向きに延びるフランジとは反対側の、垂直方向に波形のＡｌホイルの側面、側壁とは反対側の、垂直方向に波形のＡｌホイルの側面、外向きに延びるフランジと垂直方向に波形のＡｌホイルとの間の、垂直方向に波形のＡｌホイルの側面、及び側壁と垂直方向に波形のＡｌホイルとの間の、垂直方向に波形のＡｌホイルの側面、のうちの少なくとも１つの上に、１０μｍの厚さを有するＡｌカラーを備える場合に、有利であり得、この垂直方向に波形のＡｌホイルは、外向きに延びるフランジからカプセル本体の全高の約２０〜４０％にわたり、好ましくはカプセル本体の全高の約２５％にわたり延びている。
【００３１】
本発明に従うカプセルの更に別の代替的実施形態では、別個の圧潰可能要素は、蓋とは反対側の、外向きに延びるフランジの表面上に設けられたリングであり、このリングは、３４ｍｍの外径、３０ｍｍの内径を有し、このリングは、単一のワッシャとなるように一緒にプレスされた３２層の１０μｍのＡｌホイルから型抜きされている。
【００３２】
本発明に従うカプセルの更に別の代替的実施形態では、別個の圧潰可能要素は、蓋とは反対側の、外向きに延びるフランジの表面上に設けられたリングであり、このリングは、３４ｍｍの外径、３０ｍｍの内径を有し、このリングは、各層が蓋と同じ厚さを有する８層のＡｌ層から形成されており、各Ａｌ層は、個別に型抜きされ、外向きに延びるフランジ上に互いに積み重ねられている。あるいは、別個の圧潰可能要素は、蓋とは反対側の、外向きに延びるフランジの表面上に設けられたリングであり、このリングは、３４ｍｍの外径、３０ｍｍの内径を有し、このリングは、各層が蓋と同じ厚さを有する７層のＡｌ層から形成されており、この７層のＡｌ層は、積み重ねられ、その後型抜きされ、外向きに延びるフランジ上に配置されている。
【００３３】
アルミニウムが等級１０００系Ａｌである、本発明に従うカプセルの実施形態では、封止部材は、比較的製造が簡単で、使用後にカプセルを処分する場合に環境にやさしい。代替的実施形態では、アルミニウム合金も使用可能であることに留意されたい。
【００３４】
上述の代替的実施形態は、カプセルの使用中に十分な封止をもたらすように見える。
【００３５】
本発明に従うカプセルの実施形態によれば、半径方向に延びる開放溝を備える囲み部材であっても、封止部材が側壁及び外向きに延びるフランジから外れている場合に、比較的低い流体圧及び遥かに高い流体圧の両方で十分な封止を得ることができる。したがって、カプセルに封止部材を取り付けたり、又は封止したり、又は他の方法で取り付けたりする必要がない。
【００３６】
特に、外向きに延びるフランジが、平坦で、カプセル本体中心軸線に対して横方向に延びている場合、別個の圧潰可能要素は、カプセルの使用中に十分な封止をもたらす。
【００３７】
本発明に従うカプセルの更に別の実施形態では、別個の圧潰可能要素は、環状要素の自由接触端が、別個の圧潰可能要素と接触するように位置決めされる。
【００３８】
本発明の圧潰可能要素を考慮すると、カプセルが飲料調製装置の囲み部材内に位置決めされ、かつ囲み部材が飲料調製装置の閉じ部材によって閉じられている場合に、変形可能な要素を意味する。更に、本発明の別個の圧潰可能要素を考慮すると、アルミニウムカプセル本体と一緒に一体で形成されておらず、別個の構成要素として形成された圧潰可能要素を意味する。
【００３９】
本発明では、第２の態様では、カプセル内に加圧下で供給された流体を使用してカプセルから飲用可能な飲料を調製するためのシステムであって、
本発明に従うカプセルと、
カプセルを受けるための囲み部材を備えた飲料調整装置であって、囲み部材は、カプセル内に加圧下で流体を供給する流体供給手段を含み、飲料調製装置は、飲料調製装置の囲み部材を閉じるための閉じ部材、例えば抽出プレートを更に含み、飲料調製装置の囲み部材は、環状要素中心軸線及び自由接触端を有する環状要素を更に含み、環状要素の自由接触端は、半径方向に延びる複数の開放溝を任意選択的に備える、飲料調整装置と、
カプセルの封止部材であって、カプセルの外向きに延びるフランジ及びカプセルの封止部材の少なくとも一部分とが、飲料調製装置の囲み部材と閉じ部材との間の封止をもたらすように、カプセルが飲料調製装置の囲み部材内に位置決めされ、かつ囲み部材が飲料調製装置の閉じ部材によって閉じられているときに、飲料調製装置の囲み部材との流体封止接触をもたらすように配置されている、カプセルの封止部材と、を備える、システムが提供される。封止部材は、カプセル本体上の側面に設けられたアルミニウム製の別個の圧潰可能要素を含み、この側面は、外向きに延びるフランジから見ると、蓋とは反対側にあるため、このカプセル及び別個の圧潰可能要素は、製造が比較的簡単である。更に、別個の圧潰可能要素によって、半径方向に延びる開放溝を備えた囲み部材に十分な封止をもたらすことができる。
【００４０】
カプセルに関する従属請求項の特徴と同じ特徴に関する、従属請求項に記載されたようなシステムの好ましい実施形態に関しては、上記が参照される。
【００４１】
本発明は、使用中に飲料調製装置の囲み部材内の最大流体圧が６〜２０バール、好ましくは１２〜１８バールの範囲内にある、本発明に従うシステムに特に好適である。このような高圧であっても、カプセルと飲料調製装置との間に十分な封止が得られる。
【００４２】
好ましくはシステムは、使用時、淹出中に、飲料調製装置の囲み部材の自由端が、カプセルの外向きに延びるフランジと飲料調製装置の囲み部材との間に流体封止接触をもたらすように、カプセルの外向きに延びるフランジ上に配置されたカプセルの外向きに延びるフランジ（及び、存在する場合、その上に配置された封止部材）上に力Ｆ２を及ぼすように構成されており、ここで、カプセルの外側での飲料調製装置の囲み部材内での流体圧Ｐ２が、６〜２０バール、好ましくは１２〜１８バールの範囲内にある場合、Ｆ２は、５００〜１５００Ｎの範囲内にあり、好ましくは７５０〜１２５０Ｎの範囲内にある。特にシステムは、使用時、淹出する前又は淹出開始時に、飲料調製装置の囲み部材の自由端が、カプセルの外向きに延びるフランジと飲料調製装置の囲み部材との間に流体封止接触をもたらすように、カプセルの外向きに延びるフランジ上に配置されたカプセルの封止部材上に力Ｆ１を及ぼすように構成されており、ここで、カプセルの外側での飲料調製装置の囲み部材内での流体圧Ｐ１が、０．１〜４バール、好ましくは０．１〜１バールの範囲内にある場合、Ｆ１は、３０〜１５０Ｎ、好ましくは４０〜１５０Ｎ、より好ましくは５０〜１００Ｎの範囲内にある。
【００４３】
本発明に従うシステムの一実施形態において、カプセルと飲料調製装置との間の十分な封止を依然としてもたらしながら、使用者がより簡単にカプセルを取り出せるように、半径方向に延びる複数の開放溝は、飲料調製装置の環状要素の自由接触端の接線方向に、互いに対して均一に離間配置される。
【００４４】
本発明に従うシステムの有利な実施形態において、各溝の最大の接線方向の幅（頂部と頂部、すなわち溝と溝とのピッチに等しい）は０．９〜１．１ｍｍ、好ましくは０．９５〜１．０５ｍｍ、より好ましくは０．９８〜１．０２ｍｍであり、飲料調製装置の囲み部材の軸方向における各溝の最大高さは０．０１〜０．０９ｍｍ、好ましくは０．０３〜０．０７ｍｍ、より好ましくは０．０４５〜０．０５５ｍｍ、最も好ましくは０．０５ｍｍであり、溝の数は９０〜１１０、好ましくは９６である。溝の位置での環状端面の半径方向の幅は、例えば０．０５〜０．９ｍｍ、好ましくは０．２〜０．７ｍｍ、より好ましくは０．３〜０．５５ｍｍであってもよい。
【００４５】
使用中、飲料調製装置の閉じ部材が飲料調製装置の囲み部材を閉じるときに、カプセルのフランジと飲料調製装置の囲み部材の自由端との間に最大の力を加えるために、飲料調製装置の囲み部材の少なくとも自由接触端が、飲料調製装置の囲み部材内の流体の圧力の影響下で、飲料調製装置の閉じ部材の方へ飲料調製装置の閉じ部材に対して動くことができる、本発明に従うシステムの一実施形態に適用される場合に、本発明は特に好適である。囲み部材は、第１の部分と第２の部分とを含んでもよく、第２の部分は、囲み部材の自由接触端を含んでもよく、第２の部分は、第１の位置と第２の位置との間で第１の部分に対して動くことができる。第２の部分は、囲み部材内の流体圧の影響下で閉じ部材の方向に第１の位置から第２の位置の方へ動くことができる。上述の力Ｆ１は、第２の部分が流体圧Ｐ１で第１の位置にある場合に達成し得る。上述の力Ｆ２は、第２の部分が囲み部材内の流体圧Ｐ２の影響下で第２の位置の方へ動かされる場合に達成し得る。
【００４６】
本発明に従うシステムの一実施形態では、流体供給手段は、０．５〜２ｍＬ／秒の範囲で流体の流れを供給するよう構成され、ここで、封止部材によりもたらされた流体封止接触は、この流れの４％未満、好ましくは２．５％未満の漏洩率である。封止部材は、漏洩率がこの範囲内である場合に、十分な封止をもたらす。
【００４７】
本発明は、図面を参照して非限定的な実施例によって、更に明らかにされる。
【図面の簡単な説明】
【００４８】
【図１】本発明に従うシステムの一実施形態の概略図である。
【図２】本発明に従うシステムの飲料調製装置の一実施形態の斜視図であり、半径方向に延びる複数の開放溝を備えた飲料調製装置の囲み部材の自由接触端を示す。
【図３Ａ】使用前の本発明に従うカプセルの一実施形態の断面図である。
【図３Ｂ】図３Ａのカプセルの拡大詳細図であり、外向きに延びるフランジ及び封止部材を示す。
【図３Ｃ】使用後の図３Ａ及び図３Ｂにおけるカプセルの外向きに延びるフランジの拡大詳細図である。
【図４Ａ】カプセルの外向きに延びるフランジ上に積み重ねられた、封止部材としてのアルミニウム製の別個の環状圧潰可能要素を備えた、本発明に従うカプセルの第１の実施形態を示す斜視図である。
【図４Ｂ】図４Ａのアルミニウム製の別個の環状圧潰可能要素を示す斜視図である。
【図４Ｃ】図４Ａのアルミニウム製の別個の環状圧潰可能要素を示す断面図である。
【図４Ｄ】外向きに延びるフランジとは反対側の、環状圧潰可能要素の表面上に配置されたＡｌホイルを有する一実施形態における、図４Ａのアルミニウム製の別個の環状圧潰可能要素を示す断面図である。
【図４Ｅ】環状圧潰可能要素と外向きに延びるフランジとの間に配置されたＡｌホイルを有する一実施形態における、図４Ａのアルミニウム製の別個の環状圧潰可能要素を示す断面図である。
【図４Ｆ】側壁とは反対側の、環状圧潰可能要素の表面上に、環状圧潰可能要素と側壁との間に、及び環状圧潰可能要素と外向きに延びるフランジとの間に配置されたＡｌホイルを有する一実施形態における、図４Ａのアルミニウム製の別個の環状圧潰可能要素を示す断面図である。
【図４Ｇ】環状圧潰可能要素上に配置され、圧潰可能要素の全ての側面の周りに巻きつけられた単一のＡｌホイルを有する一実施形態における、図４Ａのアルミニウム製の別個の環状圧潰可能要素を示す断面図である。
【図４Ｈ】外向きに延びるフランジとは反対側の、環状圧潰可能要素の表面上に配置されたＡｌホイルを有し、側壁とは反対側の、環状圧潰可能要素の表面上に、環状圧潰可能要素と側壁との間に、及び環状圧潰可能要素と外向きに延びるフランジとの間に配置された別のＡｌホイルを有する一実施形態における、図４Ａのアルミニウム製の別個の環状圧潰可能要素を示す断面図である。
【図４Ｉ】外向きに延びるフランジとは反対側の、環状圧潰可能要素の表面上に、及び側壁とは反対側の、環状圧潰可能要素の表面上に配置されたＡｌホイルを有する一実施形態における、図４Ａのアルミニウム製の別個の環状圧潰可能要素を示す断面図である。
【図５Ａ】封止部材が、蓋とは反対側の、外向きに延びるフランジの表面上に、及びカプセルの側壁上に層状にランダムに付与された複数のＡｌホイルを含む、本発明に従うカプセルの別の実施形態を示す斜視図である。
【図５Ｂ】封止部材が、蓋とは反対側の、外向きに延びるフランジの表面上のみに層状にランダムに付与された複数のＡｌホイルを含む、本発明に従うカプセルの別の実施形態を示す斜視図である。
【図５Ｃ】封止部材が、カプセルの側壁上に層状にランダムに付与された複数のＡｌホイルを含む、本発明に従うカプセルの更に別の実施形態を示す斜視図である。
【図５Ｄ】別個の圧潰可能要素が、側壁の周りに配置された、１０μｍの厚さを有する垂直方向に波形の２重のＡｌホイルを含み、側壁と垂直方向に波形のＡｌホイルとの間にＡｌカラーが設けられている、本発明に従うカプセルの別の実施形態を示す斜視図である。
【図５Ｅ】別個の圧潰可能要素が、外向きに延びるフランジとは反対側の、垂直方向に波形のＡｌホイルの側面上にＡｌカラーを備え、かつ外向きに延びるフランジと垂直方向に波形のＡｌホイルとの間の垂直方向に波形のＡｌホイルの側面上にＡｌカラーを備えた垂直方向に波形の２重のＡｌホイルを含む、本発明に従うカプセルの更に別の実施形態を示す斜視図である。
【図５Ｆ】別個の圧潰可能要素が、側壁とは反対側の、垂直方向に波形のＡｌホイルの側面上にＡｌカラーを備え、かつ側壁と垂直方向に波形のＡｌホイルとの間の垂直方向に波形のＡｌホイルの側面上にＡｌカラーを備えた垂直方向に波形の２重のＡｌホイルを含む、本発明に従うカプセルの第４の実施形態を示す斜視図である。
【００４９】
図及び以下の説明では、同一参照番号は、同一要素を指す。
【００５０】
図１は、カプセル内に加圧下で供給された流体を使用してカプセルから飲用可能な飲料を調製するためのシステム１の一実施形態の概略の断面図である。システム１は、カプセル２及び飲料調製装置４を含む。装置４は、カプセル２を保持するための囲み部材６を含む。装置４は、カプセル２を支持するための閉じ部材、例えば抽出プレート８を更に含む。
【００５１】
図１では、明瞭にするために、カプセル２と囲み部材６と抽出プレート８との間に間隙が描かれている。使用中、カプセル２は、囲み部材６及び抽出プレート部材８と接触するように位置決めされていてもよいと理解されよう。一般に、囲み部材６は、カプセル２の形状に補完的な形状を有する。装置４は、６〜２０バール、好ましくは１２〜１８バールの範囲内の圧力下である量の流体（例えば水）を交換可能なカプセル２へ供給するための流体供給手段１０を更に含む。
【００５２】
図１に示された実施例において、交換可能なカプセル２は、カプセル本体中心軸線１２Ａを有するアルミニウムカプセル本体１２、及び蓋壁厚を有するアルミニウム蓋１４を含む。本文脈では、「アルミニウム」の意味は、アルミニウム合金も含むと理解されるが、好ましくは等級１０００系Ａｌが使用される。本実施例では、アルミニウムカプセル本体１２は、側壁１６、第１の端部で側壁１６を閉じる底部１８、及び底部１８とは反対側の第２の端部で周囲壁１６の外側に延びる外向きに延びるフランジ２０を含む。側壁１６、底部１８、及び蓋１４は、内部空間２２を取り囲み、内部空間２２は物質を抽出及び／又は溶解することによって飲用可能な飲料を調製するための物質を含んでいる。好ましくは、物質は、抽出可能な物質で、好ましくは５〜２０グラム、好ましくは５〜１０グラム、より好ましくは５〜７グラムの、一杯の飲料の調製のための焙煎され挽かれたコーヒーである。カプセルは、最初は封止されている、すなわち使用前は密封して閉じられている。
【００５３】
図１のシステム１は、入口開口部２５を介して流体を抽出可能製品に供給するために、底部１８に少なくとも１つの入口開口部２５を作るようにカプセル２の底部１８を刺し通すための底部刺通手段２４を含む。
【００５４】
図１のシステム１は、カプセル２の蓋１４を刺し通すために、蓋刺通手段２６（ここでは閉じ部材８の突出部として形成されている）を更に含む。蓋刺通手段２６は、いったん内部空間２２内部の（流体）圧力が閾値圧を超え、蓋１４を蓋刺通手段２６に対して十分な力で押圧すると、蓋１４が裂開するように配置され得る。こうして、アルミニウム蓋１４は、カプセル内の流体圧の影響下で、飲料調製装置の閉じ部材８上で裂開するように配置される。
【００５５】
カプセル２は、封止部材２８を更に含み（図１、図３Ａ、図３Ｂでは一般的なボックスとして示されているが、図４及び図５を参照してより詳細に記載される）、カプセル２の外向きに延びるフランジ２０と、封止部材２８の少なくとも一部分とが、囲み部材６と抽出プレート８との間に封止的にかみあうように、カプセル２が囲み部材６内に位置決めされ、かつ囲み部材６が抽出プレート８によって閉じられているときに、囲み部材６との流体封止接触をもたらすように、封止部材２８は、カプセル本体上の側面に設けられたアルミニウム製の別個の圧潰可能要素を含み、この側面は、外向きに延びるフランジ２０から見ると、蓋１４とは反対側にある。
【００５６】
図２に示すように、飲料調製装置の囲み部材６は、環状要素中心軸線４１Ａと自由接触端３０とを有する環状要素４１を含む。環状要素４１の自由接触端３０は、半径方向に延びる複数の開放溝４０を備える。半径方向に延びる複数の開放溝４０は、環状要素４１の自由接触端３０の接線方向に、互いに対して均一に離間配置されている。各溝４０の最大の接線方向の幅は、０．９〜１．１ｍｍ、好ましくは０．９５〜１．０５ｍｍ、より好ましくは０．９８〜１．０２ｍｍであり、囲み部材６の軸方向における各溝４０の最大高さは０．０１〜０．０９ｍｍ、好ましくは０．０３〜０．０７ｍｍ、より好ましくは０．０４５〜０．０５５ｍｍ、最も好ましくは０．０５ｍｍである。溝４０の数は、９０〜１１０の範囲内にあり、好ましくは９６である。通常、溝の位置での自由端の半径方向の幅は、０．０５〜０．９ｍｍ、より具体的には０．２〜０．７ｍｍ、より具体的には０．３〜０．５５ｍｍである。
【００５７】
本発明に従うカプセルの一実施形態が、図３Ａ及び図３Ｂにより詳細に示されている。示された実施形態では、外向きに延びるフランジ２０の外径ＯＤＦは、カプセル２の底部１８の直径ＤＢよりも大きい。示された実施形態では、外向きに延びるフランジ２０の外径ＯＤＦは、約３７．１ｍｍであり、底部１８の直径ＤＢは約２３．３ｍｍである。アルミニウムカプセル本体１２の厚さは、カプセルが飲料調製装置の囲み部材内に位置決めされ、かつ囲み部材が飲料調製装置の閉じ部材によって閉じられているときに、簡単に変形されるように、好ましくはアルミニウムカプセル本体の厚さが１００マイクロメートルであるが、他の実施形態では、厚さは２０〜２００マイクロメートルであり得る。
【００５８】
示された実施形態では、アルミニウム蓋１４の壁厚は、３９マイクロメートルである。好ましくは、アルミニウム蓋１４の壁厚は、アルミニウムカプセル本体１２の厚さよりも小さい。
【００５９】
アルミニウムカプセル本体１２の側壁１６は、底部１８とは反対側の自由端４２を有する。アルミニウムカプセル本体１２の側壁１６の自由端４２の内径ＩＤＦは、約２９．５ｍｍである。外向きに延びるフランジ２０は、その自由端４２から、少なくとも実質的にカプセル本体中心軸線１２Ａに対して横方向に延びる。外向きに延びるフランジ２０は、カプセルと囲み部材との間の封止を得るのに有益な湾曲外縁部４３を含む。示された実施形態では、外向きに延びるフランジ２０の湾曲外縁部４３は、約１．２ミリメートルの最大寸法を有する。アルミニウムカプセル本体１２の側壁１６の自由端４２と湾曲外縁部４３の内縁部４３Ａとの間の距離ＤＩＦは、約２．７ｍｍであるが、一方、アルミニウムカプセル本体１２の側壁１６の自由端４２と外向きに延びるフランジ２０の最外縁部４３Ｂとの間の距離ＤＯＦは、約３．８ミリメートルである。湾曲外縁部４３の内縁部４３Ａの、カプセル本体中心軸線の周りの半径は、好ましくは少なくとも３２ｍｍである。
【００６０】
図３Ａ及び図３Ｂに示すように、封止部材２８は、カプセル本体上の側面に位置決めされ、この側面は、外向きに延びるフランジから見ると、蓋１４とは反対側にあり、外向きに延びるフランジの湾曲外縁部４２の内縁部４３Ａの間にあり、側壁１６に沿って延びている。封止部材２８は、一般的なボックスとして示されているが、以下でより詳細に記載され、例えば、外向きに延びるフランジの上のみに配置すること、側壁の周囲のみに配置すること、又は両者の組み合わせが可能である。
【００６１】
図３Ａから分かるように、アルミニウムカプセル本体１２は切頭形である。示された実施形態では、アルミニウムカプセル本体１２の側壁１６は、カプセル本体中心軸線１２Ａに直角の線に対して約９７．５°の角度Ａを有する。アルミニウムカプセル本体１２の底部１８は、約２３．３ｍｍの最大内径ＤＢを有する。アルミニウムカプセル本体１２の底部１８も切頭形であり、示された実施形態では、約４．０ｍｍの底部の高さＢＨを有する。底部１８は、蓋１４に対向する、ほぼ平坦な中心部分１８Ａを更に有し、その中心部分１８Ａは、約８．３ｍｍの直径ＤＥＥを有し、その中心部分１８Ａに入口開口部２５（単数又は複数）が作製され得る。入口開口部はまた、中心部分１８Ａと側壁１６との間の切頭部分に作製されてもよい。カプセルのアルミニウムカプセル本体１２の全高ＴＨは、約２８．４ｍｍである。
【００６２】
図１に示されたシステム１は、一杯の飲用可能な飲料（本実施例においてはコーヒーであり、物質は焙煎され挽かれたコーヒーである）を調製するために、以下のように操作される。
【００６３】
カプセル２を、囲み部材６内に置く。抽出プレート８を、カプセル２と接触させる。底部刺通手段２４は、入口開口部２５を作るようにカプセル２の底部１８を刺し通す。流体（ここでは加圧下の熱湯）が、入口開口部２５を介して内部空間２２内の抽出可能製品に供給される。挽かれたコーヒーを湯で湿らせ、所望の物質を抽出してコーヒー飲料を形成する。
【００６４】
内部空間２２に加圧下で水を供給する間に、カプセル２内部の圧力は上昇する。圧力の上昇により、蓋１４が変形し、抽出プレートの蓋刺通手段２６に押し付けられる。いったん、圧力があるレベルに達すると、蓋１４の引裂き強度を上回り、蓋１４は、蓋刺通手段２６とぶつかって破裂し、出口開口部を作る。調製されたコーヒーは、抽出プレート８の出口開口部及び出口３２（図１を参照）を通してカプセル２から排出され、カップなどの容器（図示せず）に供給され得る。
【００６５】
システム１は、淹出する前又は淹出開始時に、囲み部材６の自由接触端３０が、カプセル２の外向きに延びるフランジ２０と飲料調製装置の囲み部材６との間に流体封止接触をもたらすように、カプセル２の外向きに延びるフランジ２０（及び、存在する場合、その上に配置された封止部材２８）上に力Ｆ１を及ぼすように構成されており、カプセルの外側での飲料調製装置の囲み部材内の流体圧Ｐ１が、０．１〜４バール、好ましくは０．１〜１バールの範囲内にある場合、Ｆ１は、３０〜１５０Ｎ、好ましくは４０〜１５０Ｎ、より好ましくは５０〜１００Ｎの範囲内にある。淹出中に、カプセル２の外向きに延びるフランジ２０と囲み部材６との間に流体封止接触をもたらすように、囲み部材６の自由接触端３０が、カプセル２の外向きに延びるフランジ２０上に力Ｆ２を及ぼし、ここで、カプセル２の外側での飲料調製装置の囲み部材６内の流体圧Ｐ２が、６〜２０バール、好ましくは１２〜１８バールの範囲内にある場合、Ｆ２は、５００〜１５００Ｎの範囲内にあり、好ましくは７５０〜１２５０Ｎの範囲内にある。示された実施形態では、外向きに延びるフランジ２０と囲み部材６の自由端３０との間に最大の力Ｆ２を加えるために、囲み部材６の自由接触端３０は、囲み部材６装置内の流体の圧力の影響下で、抽出プレート８の方へ抽出プレート８に対して動くことができる。この移動は、使用中、すなわち特に淹出開始時及び淹出中に起こり得る。囲み部材６は、第１の部分６Ａと第２の部分６Ｂとを有し、第２の部分は、自由接触端３０を含む。第２の部分６Ｂは、第１の位置と第２の位置との間を第１の部分６Ａに対して動くことができる。第２の部分６Ｂは、囲み部材６内の流体圧の影響下で閉じ部材８の方向に第１の位置から第２の位置の方へ動くことができる。上述の力Ｆ１は、第２の部分６Ｂが流体圧Ｐ１で第１の位置にある場合に達成し得る。上述の力Ｆ２は、第２の部分６Ｂが囲み部材６内の流体圧Ｐ２の影響下で第２の位置の方へ動かされる場合に達成し得る。
【００６６】
加えられた力の結果として、本発明に従うカプセルの封止部材２８は、塑性変形を受け、自由接触端３０の溝４０に密接に適合し、これにより淹出開始時には比較的低い流体圧で囲み部材６とカプセル３との間に流体封止接触をもたらすだけでなく、淹出中はカプセルの外側での囲み部材内に遥かに高い流体圧で流体封止接触もまたもたらす。囲み部材の溝４０に対する密接な適合が、使用後の本発明のカプセル２を示す図３Ｃに示されており、本図は外向きに延びるフランジ２０が、囲み部材の溝４０に適合する変形部４０’を含むことを明瞭に示している。
【００６７】
ここで、カプセル本体上の側面に設けられたアルミニウム製の別個の圧潰可能要素２８を有する封止部材を備える、本発明に従うカプセルの例示的な実施形態を、図４及び図５により詳細に記載する（この側面は、外向きに延びるフランジから見ると、蓋とは反対側にある）。示された実施形態では、別個の圧潰可能要素２８は、１０００系アルミニウム製である。加えて、示された実施形態では、外向きに延びるフランジは、平坦で、カプセル本体中心軸線に対して横方向に延びている。異なる実施形態では、外向きに延びるフランジは、カプセル本体中心軸線に対して垂直な角度を有し得ることは明白であろう。更に、示された実施形態では、別個の圧潰可能要素は、カプセル本体上にゆるく配置されるが、必要に応じて、他の実施形態では、カプセル本体に、例えば溶接によって取り付けることができる。最後に、全ての示された実施形態では、カプセルが、飲料調製装置の囲み部材内に位置決めされるとき、第２の部分６Ｂの自由接触端３０及び／又は第２の部分６Ｂの内側表面が、別個の圧潰可能要素２８と接触するように、別個の圧潰可能要素が位置決めされる。
【００６８】
図４Ａは、カプセル２の外向きに延びるフランジ２０上に積み重ねられた封止部材として、アルミニウム製の別個の環状圧潰可能要素２８を備えた、本発明に従うカプセル２の第１の実施形態を示す斜視図である。図４Ｂは、図４Ａの別個の環状圧潰可能要素２８の斜視図であり、図４Ｃは、その断面図である。別個の圧潰可能要素２８は、約１０％のＡｌの有効密度を有するアルミニウム製であり、これにより蓋とは反対側の、外向きに延びるフランジ２０の表面上に設けられたアニュラス又はリングとして形成されている。リング２８は、３４ｍｍの外径、３０ｍｍの内径、１ｍｍの厚さ、及び約０．０７グラムの質量を有し、カプセル２上に置くと、リング２８は、側壁１６を囲んでいる。別個の圧潰可能要素２８は、アニュラス又はリングになるまで圧縮された０．３μｍの厚さを有する２つのＡｌホイルから形成することができ、ワッシャと比較できる。あるいは、リング２８は、本発明によれば、単一のワッシャとなるように一緒にプレスされた３２層の１０μｍのＡｌホイルから型抜きされることにより形成できる。あるいは、リング２８は、本発明によれば、各層が蓋と同じ厚さ（例えば３９マイクロメートル）を有し、各Ａｌ層が個別に型抜きされ、外向きに延びるフランジ２０上に互いに積み重ねられて、８層のＡｌ層から形成されて、環状封止部材２８を形成することにより、又は各層が蓋と同じ厚さを有する７層のＡｌが積み重ねられ、その後型抜きされ、外向きに延びるフランジ２０上に配置されて、７層のＡｌから形成されることにより、形成できる。
【００６９】
図４Ｄにおいて、図４Ａのアルミニウム製の別個の環状圧潰可能要素２８の実施形態を示す断面図が示されており、外向きに延びるフランジ２０とは反対側の、環状圧潰可能要素２８の表面上に配置された、０．３μｍの厚さを有するＡｌホイル５０を更に有する。
【００７０】
図４Ｅにおいて、図４Ａのアルミニウム製の別個の環状圧潰可能要素２８の実施形態を示す断面図が示されており、環状圧潰可能要素２８と外向きに延びるフランジ２０との間に配置された、０．３μｍの厚さを有するＡｌホイル５１を更に有する。
【００７１】
図４Ｆにおいて、図４Ａのアルミニウム製の別個の環状圧潰可能要素２８の別の実施形態を示す断面図が示されており、側壁１６とは反対側の、環状圧潰可能要素２８の表面上に、環状圧潰可能要素２８と側壁１６との間に、及び環状圧潰可能要素２８と外向きに延びるフランジ２０との間に配置された、０．３μｍの厚さを有するＡｌホイル５２を更に有する。
【００７２】
図４Ｇにおいて、図４Ａのアルミニウム製の別個の環状圧潰可能要素２８の更に別の実施形態を示す断面図が示されており、環状圧潰可能要素２８上に配置され、環状圧潰可能要素２８の全ての側面の周りに巻きつけられた、０．３μｍの厚さを有する単一のＡｌホイル５３を更に有する。
【００７３】
図４Ｈにおいて、図４Ａのアルミニウム製の別個の環状圧潰可能要素２８の別の実施形態を示す断面図が示されており、外向きに延びるフランジ２０とは反対側の、環状圧潰可能要素２８の表面上に配置された、０．３μｍの厚さを有するＡｌホイル５５を更に有し、側壁１６とは反対側の、環状圧潰可能要素２８の表面上に、環状圧潰可能要素２８と側壁１６との間に、及び環状圧潰可能要素２８と外向きに延びるフランジ２０との間に配置された、０．３μｍの厚さを有する別のＡｌホイル５４を有する。
【００７４】
図４Ｉにおいて、図４Ａのアルミニウム製の別個の環状圧潰可能要素２８の更に別の実施形態を示す断面図が示されており、外向きに延びるフランジ２０とは反対側の、環状圧潰可能要素２８の表面上に、及び側壁１６とは反対側の、環状圧潰可能要素２８の表面上に配置された、０．３μｍの厚さを有するＡｌホイル５６を更に有する。
【００７５】
図５Ａは、封止部材２８が、蓋とは反対側の、外向きに延びるフランジ２０の表面上に、及びカプセルの側壁１６上に層状にランダムに付与された複数のＡｌホイルを含む、本発明に従うカプセル２の別の実施形態を示す斜視図である。複数のＡｌホイルが、カプセル本体の全高ＴＨの少なくとも４０％を覆い、好ましくは複数のＡｌホイルが、カプセル本体の全高ＴＨの少なくとも５０％を覆っている。Ａｌホイルの各々は、０．３μｍの厚さを有する。
【００７６】
図５Ｂにおいて、図５Ａに示す実施形態に関する、本発明に従うカプセル２の別の実施形態を示す斜視図が示されており、ランダムに付与された複数のＡｌホイルが、蓋とは反対側の、外向きに延びるフランジ２０の表面上にのみ層状に設けられている。
【００７７】
図５Ｃにおいて、図５Ａに示す実施形態に関する、本発明に従うカプセル２の更に別の実施形態を示す斜視図が示されており、ランダムに付与された複数のＡｌホイルが、カプセル２の側壁１６上にのみ層状に設けられている。
【００７８】
図５Ｄにおいて、本発明に従うカプセル２の別の実施形態を示す斜視図が示されており、別個の圧潰可能要素２８が、側壁１６の周りに配置された、１０μｍの厚さを有する垂直方向に（すなわち、本体中心軸線と平行の）波形の２重のＡｌホイルを含み、側壁１６と垂直方向に波形のＡｌホイルとの間にＡｌカラー６０が設けられている。折りたたまれたＡｌホイルは、カプセル本体の全高ＴＨの約２０〜４０％にわたり、好ましくは、カプセル本体の全高ＴＨの約２５％にわたり、外向きに延びるフランジ２０から延びている。
【００７９】
図５Ｅにおいて、本発明に従うカプセル２の更に別の実施形態を示す斜視図が示されており、別個の圧潰可能要素２８が、外向きに延びるフランジ２０とは反対側の、垂直方向に波形のＡｌホイルの側面上にＡｌカラー６１を備え、かつ外向きに延びるフランジ２０と垂直方向に波形のＡｌホイルとの間の垂直方向に波形のＡｌホイルの側面上にＡｌカラー６２を備えた、垂直方向に波形の２重のＡｌホイルを含む。
【００８０】
図５Ｆにおいて、本発明に従うカプセル２の更に別の実施形態を示す斜視図が示されており、別個の圧潰可能要素２８が、側壁１６とは反対側の、垂直方向に波形のＡｌホイルの側面上にＡｌカラー６３を備え、かつ側壁１６と垂直方向に波形のＡｌホイルとの間の垂直方向に波形のＡｌホイルの側面上にＡｌカラー６０を備えた、垂直方向に波形の２重のＡｌホイルを含む。
【００８１】
ここまでの明細書では、本発明の実施形態の具体例を参照して記載されてきた。しかし、添付の特許請求の範囲に記述されている本発明の広い趣旨及び範囲から逸脱することなしに、様々な修飾及び変更することができることは明白である。
【図１】
2019520270.tif 000002
【図２】
2019520270.tif 000003
【図３Ａ】
2019520270.tif 000004
【図３Ｂ】
2019520270.tif 000005
【図３Ｃ】
2019520270.tif 000006
【図４Ａ】
2019520270.tif 000007
【図４Ｂ】
2019520270.tif 000008
【図４Ｃ】
2019520270.tif 000009
【図４Ｄ】
2019520270.tif 000010
【図４Ｅ】
2019520270.tif 000011
【図４Ｆ】
2019520270.tif 000012
【図４Ｇ】
2019520270.tif 000013
【図４Ｈ】
2019520270.tif 000014
【図４Ｉ】
2019520270.tif 000015
【図５Ａ】
2019520270.tif 000016
【図５Ｂ】
2019520270.tif 000017
【図５Ｃ】
2019520270.tif 000018
【図５Ｄ】
2019520270.tif 000019
【図５Ｅ】
2019520270.tif 000020
【図５Ｆ】
2019520270.tif 000021
【国際調査報告】
2019520270.tif 000022
2019520270.tif 000023
2019520270.tif 000024
2019520270.tif 000025
2019520270.tif 000026
2019520270.tif 000027
2019520270.tif 000028